(57)【特許請求の範囲】
【請求項１】
入力された商品情報に基づいて売上金額を算出するＰＯＳ端末と連動する釣銭機であって、
外部から投入される貨幣及び商品券を取り込む受入部と、
前記受入部により取り込まれた貨幣及び商品券を識別計数する識別部と、
前記識別部により識別計数された貨幣を額面別に収納する収納部と、
前記ＰＯＳ端末からの指示に基づいて釣銭を払い出す払出部と、
機内の貨幣及び商品券が回収される際に貨幣及び商品券を収納する回収カセットと、
前記識別部により識別計数された貨幣についての額面別枚数のデータに、前記識別部により識別計数された商品券の合計金額のデータを付加して前記ＰＯＳ端末へ出力する出力部と、
を備える釣銭機。
【請求項２】
入力された商品情報に基づいて売上金額を算出するＰＯＳ端末と連動する釣銭機であって、
外部から投入される貨幣及び商品券を取り込む受入部と、
前記受入部により取り込まれた貨幣及び商品券を識別計数する識別部と、
前記識別部により識別計数された貨幣を額面別に収納する収納部と、
前記ＰＯＳ端末からの指示に基づいて釣銭を払い出す払出部と、
機内の貨幣及び商品券が回収される際に貨幣及び商品券を収納する回収カセットと、
前記識別部により識別計数された貨幣についての額面別枚数のデータに、前記識別部により識別計数された商品券の額面別枚数のデータを付加して前記ＰＯＳ端末へ出力する出力部と、
を備える釣銭機。
【請求項３】
入力された商品情報に基づいて売上金額を算出するＰＯＳ端末と連動する釣銭機であって、
外部から投入される貨幣及び商品券を取り込む受入部と、
前記受入部により取り込まれた貨幣及び商品券を識別計数する識別部と、
前記識別部により識別計数された貨幣を額面別に収納する収納部と、
前記ＰＯＳ端末からの指示に基づいて釣銭を払い出す払出部と、
機内の貨幣及び商品券が回収される際に貨幣及び商品券を収納する回収カセットと、
前記識別部により識別計数された貨幣についての額面別枚数のデータに、前記識別部により識別計数された商品券の合計金額のデータを付加して前記ＰＯＳ端末へ出力するか、又は、前記識別部により識別計数された貨幣についての額面別枚数のデータに、前記識別部により識別計数された商品券の額面別枚数のデータを付加して前記ＰＯＳ端末へ出力するかの出力フォーマットの切り替えを行う出力部と、
を備える釣銭機。
【請求項４】
前記出力部は、前記ＰＯＳ端末との連動に応じた前記出力フォーマットを自動判別し、前記出力フォーマットの切り替えを行うことを特徴とする請求項３に記載の釣銭機。
【請求項５】
請求項１乃至４のいずれかに記載の釣銭機と、
前記釣銭機から貨幣及び商品券の入金データを取得するＰＯＳ端末と、
前記ＰＯＳ端末から前記入金データを受け取り、前記入金データと、前記回収カセット内の貨幣及び商品券の合計金額との照合を行う照合部と、
を備える入金管理システム。
【発明の詳細な説明】
【技術分野】
【０００１】
本発明は、商品券を入金できる釣銭機及び売上金額と商品券を含む入金額とを照合する入金管理システムに関するものである。
【背景技術】
【０００２】
小売店等において、顧客は現金による支払いだけでなく、商品券による支払いを行うことがある。商品券を取り扱う釣銭機として、商品券処理モードにおいて機内に取り込んだ商品券の枚数を計数し、商品券を出金リジェクト部に収納する釣銭機が知られている（例えば特許文献１参照）。商品券の額面価格は、係員により制御端末機（ＰＯＳレジスタ）に手入力される。
【０００３】
商品券は、営業終了後に現金と共に回収される。回収された現金及び商品券は、後方の出納室に設置された入金機に入金される。そして、入金機への入金額と、ＰＯＳレジスタで管理している売上金額（又は釣銭機への入金額）とが照合される。
【０００４】
しかし、上述したような従来の釣銭機は、商品券の情報として、商品券の計数枚数のみをＰＯＳレジスタへ出力する。つまり、ＰＯＳレジスタが管理している商品券の金額情報は係員が手入力したものであり、さらに、従来のＰＯＳレジスタは、現金と商品券の金額情報を区別することなく処理していたので、ＰＯＳレジスタは、釣銭機内に保管されていた商品券についての詳細かつ正確な情報を把握していなかった。そのため、照合作業を正確に行うことが困難であった。
【先行技術文献】
【特許文献】
【０００５】
【特許文献１】特開２００７−２１３４９３号公報
【発明の概要】
【発明が解決しようとする課題】
【０００６】
本発明は、商品券を含めた入金額をＰＯＳ端末へ出力できる釣銭機、及び売上金額と商品券を含む入金額とを正確に照合できる入金管理システムを提供することを目的とする。
【課題を解決するための手段】
【０００７】
本発明の一態様による釣銭機は、入力された商品情報に基づいて売上金額を算出するＰＯＳ端末と連動する釣銭機であって、外部から投入される貨幣及び商品券を取り込む受入部と、前記受入部により取り込まれた貨幣及び商品券を識別計数する識別部と、前記識別部により識別計数された貨幣を額面別に収納する収納部と、前記ＰＯＳ端末からの指示に基づいて釣銭を払い出す払出部と、機内の貨幣及び商品券が回収される際に貨幣及び商品券を収納する回収カセットと、前記識別部により識別計数された貨幣についての額面別枚数のデータに、前記識別部により識別計数された商品券の合計金額のデータを付加して前記ＰＯＳ端末へ出力する出力部と、を備えるものである。
【０００８】
本発明の一態様による釣銭機は、入力された商品情報に基づいて売上金額を算出するＰＯＳ端末と連動する釣銭機であって、外部から投入される貨幣及び商品券を取り込む受入部と、前記受入部により取り込まれた貨幣及び商品券を識別計数する識別部と、前記識別部により識別計数された貨幣を額面別に収納する収納部と、前記ＰＯＳ端末からの指示に基づいて釣銭を払い出す払出部と、機内の貨幣及び商品券が回収される際に貨幣及び商品券を収納する回収カセットと、前記識別部により識別計数された貨幣及び商品券についての額面別枚数のデータを前記ＰＯＳ端末へ出力する出力部と、ものである。
【０００９】
本発明の一態様による釣銭機においては、前記出力部は、前記商品券の額面を、複数種類の貨幣の額面に分割して、前記額面別枚数のデータを作成することが好ましい。
【００１０】
本発明の一態様による釣銭機は、入力された商品情報に基づいて売上金額を算出するＰＯＳ端末と連動する釣銭機であって、外部から投入される貨幣及び商品券を取り込む受入部と、前記受入部により取り込まれた貨幣及び商品券を識別計数する識別部と、前記識別部により識別計数された貨幣を額面別に収納する収納部と、前記ＰＯＳ端末からの指示に基づいて釣銭を払い出す払出部と、機内の貨幣及び商品券が回収される際に貨幣及び商品券を収納する回収カセットと、前記識別部により識別計数された貨幣についての額面別枚数のデータに、前記識別部により識別計数された商品券の額面別枚数のデータを付加して前記ＰＯＳ端末へ出力する出力部と、を備えるものである。
【００１１】
本発明の一態様による釣銭機は、入力された商品情報に基づいて売上金額を算出するＰＯＳ端末と連動する釣銭機であって、外部から投入される貨幣及び商品券を取り込む受入部と、前記受入部により取り込まれた貨幣及び商品券を識別計数する識別部と、前記識別部により識別計数された貨幣を額面別に収納する収納部と、前記ＰＯＳ端末からの指示に基づいて釣銭を払い出す払出部と、機内の貨幣及び商品券が回収される際に貨幣及び商品券を収納する回収カセットと、前記識別部により識別計数された貨幣についての額面別枚数のデータに、前記識別部により識別計数された商品券の合計金額のデータを付加して前記ＰＯＳ端末へ出力するか、又は、前記識別部により識別計数された貨幣及び商品券についての額面別枚数のデータを前記ＰＯＳ端末へ出力するか、又は、前記識別部により識別計数された貨幣についての額面別枚数のデータに、前記識別部により識別計数された商品券の額面別枚数のデータを付加して前記ＰＯＳ端末へ出力するかの出力フォーマットの切り替えを行う出力部と、を備えるものである。
【００１２】
本発明の一態様による釣銭機においては、前記出力部は、前記ＰＯＳ端末との連動に応じた前記出力フォーマットを自動判別し、前記出力フォーマットの切り替えを行うことが好ましい。
【００１３】
本発明の一態様による入金管理システムは、前記釣銭機と、前記釣銭機から貨幣及び商品券の入金データを取得するＰＯＳ端末と、前記ＰＯＳ端末から前記入金データを受け取り、前記入金データと、前記回収カセット内の貨幣及び商品券の合計金額との照合を行う照合部と、を備えるものである。
【発明の効果】
【００１４】
本発明によれば、商品券を含めた入金額を釣銭機からＰＯＳ端末へ出力できる。また、売上金額と商品券を含む入金額とを正確に照合できる。
【図面の簡単な説明】
【００１５】
【図１】本発明の実施形態に係る入金管理システムの概略構成図である。
【図２】同実施形態に係る釣銭機のブロック図である。
【図３】同実施形態に係る釣銭機の外観斜視図である。
【図４】釣銭機からＰＯＳ端末への出力データフォーマットの一例を示す図である。
【図５】釣銭機からＰＯＳ端末への出力データフォーマットの一例を示す図である。
【図６】釣銭機からＰＯＳ端末への出力データフォーマットの一例を示す図である。
【発明を実施するための形態】
【００１６】
以下、本発明の実施の形態を図面に基づいて説明する。
【００１７】
図１に本発明の実施形態に係る入金管理システムの概略構成を示す。入金管理システムは、小売店等の店舗に設けられ、釣銭機１０、ＰＯＳ端末２０、入金機３０、及び店舗サーバ４０を備える。
【００１８】
ＰＯＳ端末２０と連動する釣銭機１０は、顧客から支払われた貨幣（紙幣、硬貨）及び商品券を取り込み、識別、計数を行い、計数結果をＰＯＳ端末２０へ送信する。釣銭機１０がＰＯＳ端末２０へ送信する計数結果には、貨幣の額面別枚数と、商品券の合計金額とが含まれる。また、釣銭機１０は、ＰＯＳ端末２０からの釣銭出金指示に基づいて釣銭を出金する。釣銭機１０の構成については後述する。
【００１９】
ＰＯＳ端末２０は、顧客が購入した商品や顧客が受けるサービスの金額が店員によって手入力されたり、商品に付されたバーコードを読み取ったりすることで、売上金額を特定する。
【００２０】
ＰＯＳ端末２０は、顧客が支払った貨幣及び商品券についての計数結果を釣銭機１０から受け取り、顧客からの預かり金額を特定する。ＰＯＳ端末２０は、確定指示が入力されると、預かり金額から売上金額を引いた釣銭額を算出し、釣銭出金指示を釣銭機１０へ出力する。また、ＰＯＳ端末２０は、売上金額、預かり金額、釣銭額等をカスタマーディスプレイ２１に表示させることができる。
【００２１】
ＰＯＳ端末２０は、釣銭機１０から、顧客が支払った貨幣の額面別枚数についての計数結果を受信するため、釣銭機１０に収納されている貨幣の額面別枚数を管理できる。また、ＰＯＳ端末２０は、釣銭機１０から、顧客が支払った商品券の合計金額についての計数結果を受信するため、釣銭機１０に収納されている商品券の合計金額を管理できる。
【００２２】
従って、ＰＯＳ端末２０は、釣銭機１０に収納されている貨幣と商品券とを区別して、その金額を管理できる。ＰＯＳ端末２０は、管理している釣銭機１０内の貨幣の情報及び商品券の情報を店舗サーバ４０へ出力する。
【００２３】
入金機３０は、例えば出納室に設置され、釣銭機１０から回収された貨幣及び商品券が入金され、入金額を求める。入金機３０は、例えば、貨幣入金装置と商品券入金装置の２つの装置により構成される。貨幣入金装置は、投入された貨幣を装置内に取り込み、識別、計数し、合計金額を求めるものである。
【００２４】
商品券入金装置は、投入された商品券を装置内に取り込み、識別、計数し、合計金額を求めるものである。商品券には１枚毎に固有の管理番号が、ＯＣＲ（Optical Character Recognition）又はＭＩＣＲ（Magnetic Ink Character Recognition）で印字されている。管理番号は、商品券の発行会社や券種等の情報を示すものとなっている。商品券入金装置は、管理番号を読み取り、商品券の発行会社に請求を行ってもよい。また、商品券入金装置は、投入された商品券に対して済印を押したり、穴を開けたり、半券化するなどの無効化処理を行ってもよい。
【００２５】
入金機３０（貨幣入金装置と商品券入金装置）は、釣銭機１０から回収された貨幣についての計数結果及び商品券についての計数結果を店舗サーバ４０へ出力する。
【００２６】
店舗サーバ４０は、ＰＯＳ端末２０から受け取った釣銭機１０内の貨幣の情報及び商品券の情報と、入金機３０から受け取った計数結果とを照合する。これにより、釣銭機１０から回収された貨幣及び商品券を厳正に管理することができる。
【００２７】
次に、釣銭機１０の構成について、図２に示すブロック図及び図３に示す外観斜視図を用いて説明する。釣銭機１０は、硬貨釣銭機１Ａ及び紙幣釣銭機１Ｂを有する。硬貨釣銭機１Ａ及び紙幣釣銭機１Ｂは、それぞれ制御部Ｃ１、Ｃ２を有する。制御部Ｃ１、Ｃ２は互いに接続されており、制御部Ｃ２はＰＯＳ端末２０にも接続されている。
【００２８】
硬貨釣銭機１Ａは、外部から硬貨を受け入れる硬貨受入部１１４、硬貨受入部１１４から受け入れた受入硬貨の識別計数を行う硬貨識別部１０１、硬貨識別部１０１による識別結果に応じて受入硬貨を額面別に収納する硬貨収納部１０６、及び機内の貨幣を外部に払い出す硬貨払出部１１６を備える。
【００２９】
図２及び図３に示すように、硬貨釣銭機１Ａは前部上面に操作表示部１１２を有する筐体１１０を備える。筐体１１０の前部には硬貨受入部１１４及び硬貨払出部１１６が設けられている。
【００３０】
硬貨受入部１１４は受け入れた硬貨を１層１列状態で１枚ずつ機内へ取り込む。受入部１１４の後方には取り込まれた硬貨を搬送する入金搬送部１０３が延びている。
【００３１】
この入金搬送部１０３の途中には硬貨の識別・計数を行う硬貨識別部１０１と、分岐部１０４が設けられている。分岐部１０４は硬貨識別部１０１の識別結果に基づいて、リジェクト硬貨等の取出部１１６から払い出される（放出される）硬貨を出金搬送部１０８へ案内（搬送）する。
【００３２】
正常硬貨等の機内に収納される硬貨は入金搬送部１０３により硬貨収納部１０６へ搬送される。硬貨収納部１０６は硬貨を額面別に収納し、例えば入金搬送部１０３の上流側から高額順に貨幣を収納する。
【００３３】
出金搬送部１０８は硬貨収納部１０６に収納された硬貨を取り出して、硬貨払出部１１６へ搬送する。また、分岐部１０４から案内された硬貨を硬貨払出部１１６へ搬送する。
【００３４】
硬貨釣銭機１Ａの制御部Ｃ１は、操作表示部１１２を介して回収指示が入力されると、硬貨収納部１０６に収納されている硬貨をすべて硬貨払出部１１６から払い出すように各部を制御する。硬貨払出部１１６から払い出された硬貨は店員等により回収され、入金機３０へ運ばれる。回収指示は、額面毎に所定枚数の硬貨を硬貨収納部１０６に残しておく残置回収指示とすることもできる。ＰＯＳ端末２０が回収指示を出力し、制御部Ｃ２を介して制御部Ｃ１に与えるようにしてもよい。
【００３５】
次に、紙幣釣銭機１Ｂの構成を説明する。紙幣釣銭機１Ｂは、外部から紙幣／商品券を受け入れる受入部２１４、受入部２１４から受け入れた紙幣／商品券の識別計数を行う識別部２０１、識別部２０１による識別結果に応じて紙幣を額面別に収納する収納部２０６、及び機内の紙幣／商品券を外部に払い出す払出部２１６を備える。
【００３６】
図２及び図３に示すように、紙幣釣銭機１Ｂは、筐体２１０と、この筐体２１０内の略中央部に設けられた環状の周回搬送部２０３ａとを備えている。また、受入部２１４、収納部２０６、払出部２１６、出金リジェクト部２０４、及び回収カセット２０７が、周回搬送部２０３ａの外周を取り囲むように配置されている。
【００３７】
また、受入部２１４、各収納部２０６、払出部２１６、出金リジェクト部２０４、及び回収カセット２０７と、周回搬送部２０３ａとの間を接続する紙幣の接続搬送部２０３ｂがそれぞれ形成されている。周回搬送部２０３ａには、通過する紙幣／商品券の識別・計数を行う識別部２０１が設けられている。
【００３８】
また、周回搬送部２０３ａと各接続搬送部２０３ｂとの間で紙幣／商品券の搬送経路を切り替える経路切替部（図示せず）が周回搬送部２０３ａに沿って配置されている。
【００３９】
図２及び図３に示すように、筐体２１０の前面には受入部２１４の受入口２１４ａと、払出部２１６の取出口２１６ａとが設けられている。回収カセット２０７は筐体２１０に対して着脱自在に取り付けられている。また、筐体２１０の前部上面に操作表示部２１２が設けられている。
【００４０】
受入部２１４は受入口２１４ａに挿入された紙幣／商品券を１枚ずつ取り込んで、周回搬送部２０３ａ側へ繰り出す。各収納部２０６は、識別部２０１の識別結果に基づいて紙幣を額面別に収納する。また、識別部２０１により識別された商品券は回収カセット２０７に収納される。払出部２１６は、各収納部２０６から取り出された紙幣を取出口２１６ａより放出する。
【００４１】
出金リジェクト部２０４は、収納部２０６から繰り出された紙幣のうち、斜行等により識別部２０１で識別のできない紙幣を出金リジェクト紙幣として収納する。また、受入部２１４から取り込まれた紙幣／商品券のうち、汚損等により識別部２０１で識別のできない紙幣／商品券はリジェクト紙幣／リジェクト商品券として払出部２１６に返却される。
【００４２】
紙幣釣銭機１Ｂの制御部Ｃ２は、操作表示部２１２を介して回収指示が入力されると、収納部１０６に収納されている紙幣をすべて回収カセット２０７へ搬送し、収納するように各部を制御する。回収カセット２０７は店員等により回収され、入金機３０へ運ばれる。回収指示は、額面毎に所定枚数の紙幣を収納部１０６に残しておく残置回収指示とすることもできる。ＰＯＳ端末２０が制御部Ｃ２へ回収指示を出力するようにしてもよい。
【００４３】
次に、釣銭機１０の釣銭出金時の動作について説明する。ＰＯＳ端末２０は、図示しない商品情報読み取り部等から読み取った商品情報に基づいて、商品取引により生じた売上金額を算出する。商品情報や商品の金額を店員が手入力してもよい。
【００４４】
顧客が貨幣及び商品券を用いて支払いを行うと、店員は、硬貨を硬貨釣銭機１Ａに投入し、紙幣及び商品券を紙幣釣銭機１Ｂに投入する。制御部Ｃ１は硬貨識別部１０１による計数結果を制御部Ｃ２へ出力する。制御部Ｃ２は、識別部２０１による紙幣及び商品券の計数結果と、制御部Ｃ１から受け取った硬貨の計数結果をＰＯＳ端末２０へ出力する。
【００４５】
図４に、制御部Ｃ２（制御部Ｃ２に含まれる出力部）からＰＯＳ端末２０への出力データのデータフォーマットの一例を示す。ＤＬＥは、伝送制御拡張を意味するコードが設定される。ＳＴＸは、テキストの開始を意味するコードが設定される。Ｌはデータ長が設定される。
【００４６】
データ部には、図４に示すように、１００００円紙幣の計数枚数、５０００円紙幣の計数枚数、２０００円紙幣の計数枚数、１０００円紙幣の計数枚数、５００円硬貨の計数枚数、１００円硬貨の計数枚数、５０円硬貨の計数枚数、１０円硬貨の計数枚数、５円硬貨の計数枚数、及び１円硬貨の計数枚数を有する貨幣の額面別枚数のデータに、商品券の計数金額（合計金額）のデータが付加されて格納される。
【００４７】
ＥＴＸは、テキストの終了を意味するコードが設定される。ＢＣＣは、ＳＴＸの次（Ｌ  ３２ｈ）からＥＴＸまでの排他的論理和が設定される誤り検出用のパリティビットである。
【００４８】
ＰＯＳ端末２０は、このようなデータ信号を受け取り、顧客からの預かり金額を特定する。ＰＯＳ端末２０は、預かり金額から売上金額を引いて釣銭額を算出し、釣銭出金指示を制御部Ｃ２へ出力する。制御部Ｃ２はこの釣銭出金指示に基づいて払出部２１６から釣銭紙幣が払い出されるように、紙幣釣銭機１Ｂ内の各部の制御を行う。そして、釣銭硬貨出金指示を制御部Ｃ１へ出力する。制御部Ｃ１はこの釣銭硬貨出金指示に基づいて硬貨払出部１１６から釣銭硬貨が払い出されるように、硬貨釣銭機１Ａ内の各部の制御を行う。
【００４９】
このように、ＰＯＳ端末２０は、釣銭機１０から貨幣の計数枚数だけでなく、商品券の計数金額を取得するため、釣銭機１０内の貨幣の合計金額と商品券の合計金額とを区別して管理することができる。また、商品券の合計金額を釣銭機１０（紙幣釣銭機１Ｂ）が計数するため、計数誤り等の間違いの発生を防止できる。
【００５０】
また、店舗サーバ４０は、ＰＯＳ端末２０から受け取った釣銭機１０内の貨幣の情報及び商品券の情報と、入金機３０から受け取った計数結果とを照合し、釣銭機１０から回収された貨幣及び商品券を厳正に管理することができる。
【００５１】
上記実施形態において、顧客が貨幣及び商品券を用いて支払った金額を店員が計数して、ＰＯＳ端末２０に手入力してもよい。ＰＯＳ端末２０は手入力された預かり金額と売上金額から釣銭額を算出し、制御部Ｃ２へ釣銭出金指示を出力する。釣銭出金後、顧客が支払った硬貨が硬貨釣銭機１Ａに投入され、紙幣及び商品券が紙幣釣銭機１Ｂに投入される。硬貨識別部１０１による投入硬貨の計数結果及び識別部２０１による投入紙幣及び商品券の計数結果が図４に示すようなデータフォーマットでＰＯＳ端末２０へ出力される。ＰＯＳ端末２０は、店員により手入力された金額と、釣銭機１０から受け取った計数結果とを比較し、不一致の場合は店員に報知する。このように、釣銭出金後に貨幣及び商品券の識別、計数を行うことで、顧客に対して、速やかに釣銭を払うことができる。
【００５２】
釣銭機１０からＰＯＳ端末２０への出力データは、図５に示すように、貨幣の額面別枚数に同じ額面の商品券の枚数を合計したデータにしてもよい。例えば、紙幣釣銭機１Ｂに１００００円紙幣が２枚、５０００円紙幣が１枚、１０００円紙幣が２枚、５０００円商品券が１枚、１０００円商品券が２枚投入された場合、ＰＯＳ端末２０へは、１００００円紙幣２枚、５０００円紙幣２枚、１０００円紙幣４枚が記載されたデータが出力される。このように、紙幣の額面別枚数に、商品券の額面別枚数を加えることで、データ部の拡張が不要になるため、導入コストを削減できる。
【００５３】
なお、紙幣や硬貨の額面とは異なる額面の商品券が投入された場合は、紙幣や硬貨の額面に分割して、それぞれの額面別枚数に加えるようにしてもよい。例えば、紙幣釣銭機１Ｂに３０００円商品券が投入された場合は、ＰＯＳ端末２０への出力データにおける２０００円紙幣及び１０００円紙幣の枚数をそれぞれ１枚増やす。１０００円紙幣の枚数を３枚増やしてもよい。また、例えば、紙幣釣銭機１Ｂに７０６円の商品券が投入された場合は、ＰＯＳ端末２０への出力データにおける５００円硬貨の枚数を１枚、１００円硬貨の枚数を２枚、５円硬貨の枚数を１枚、１円硬貨の枚数を１枚増やす。
【００５４】
このようにすることで、紙幣や硬貨の額面とは異なる額面の商品券を取り扱うことができる。なお、この場合、ＰＯＳ端末２０では、釣銭機１０内の貨幣の金額と商品券の金額とを区別できないが、貨幣と商品券の合計金額については、釣銭機１０で計数された正確な値を取得できる。店舗サーバ４０は、この値と、入金機３０からの計数結果とを照合することで、貨幣及び商品券を厳正に管理することができる。
【００５５】
また、釣銭機１０からＰＯＳ端末２０への出力データは、図６に示すように、貨幣の額面別枚数のデータに、商品券の額面別枚数のデータを付加したものにしてもよい。これにより、釣銭機１０からの出力データのサイズが大きくなるが、ＰＯＳ端末２０は釣銭機１０内の商品券のさらに詳細な情報を取得できる。店舗サーバ４０は、ＰＯＳ端末２０からこの情報を受け取り、入金機３０からの計数結果と照合することで、貨幣及び商品券をさらに厳正に管理することができる。
【００５６】
また、制御部Ｃ２（制御部Ｃ２に含まれる出力部）が、図４〜図６に示すデータフォーマットの少なくとも２つを切り替えて出力できるようにしてもよい。さらに、制御部Ｃ２は、釣銭機１０の上位機である店舗サーバ４０やＰＯＳ端末２０からの要求に応じて、出力データのフォーマットの切り替えを行うようにしてもよい。また、制御部Ｃ２は、ＰＯＳ端末２０の機種等に応じて、ＰＯＳ端末２０との連動に適したフォーマットを自動判別して切り替えを行ってもよい。また、釣銭機１０を操作してフォーマットを切り替えてもよく、具体的には、操作表示部１１２、２１２や、図示しないディップスイッチ等の操作部を介して切り替えるようにしてもよい。
【００５７】
上記実施形態では、図２に示すように、釣銭機１０が硬貨釣銭機１Ａ及び紙幣釣銭機１Ｂを備える構成について説明したが、釣銭機１０を紙幣釣銭機１Ｂのみで構成してもよい。
【００５８】
上記実施形態において、釣銭機１０は、釣銭機１０の識別番号を示すコード情報を印字する印字部を備えていてもよい。印字されたコード情報は、入金機３０に設けられた読取部で読み取られる。これにより、入金機３０は、店舗内の複数の釣銭機１０のうち、どの釣銭機１０から回収された貨幣及び商品券であるかを特定し、計数結果と共に店舗サーバ４０へ送信する。店舗サーバ４０は、入金機３０から受け取った計数結果と、対応する釣銭機１０に接続されたＰＯＳ端末２０から出力された情報とを照合する。
【００５９】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【符号の説明】
【００６０】
１０  釣銭機
２０  ＰＯＳ端末
３０  入金機
４０  店舗サーバ
【図１】
0005562689.tif 000002
【図２】
0005562689.tif 000003
【図３】
0005562689.tif 000004
【図４】
0005562689.tif 000005
【図５】
0005562689.tif 000006
【図６】
0005562689.tif 000007